(57)【要約】  本願の実施例は、通信分野に関し、ネットワーク構成方法、装置、ネットワーク要素及びシステムを提供し、前記方法は、第１のネットワーク要素が第２のネットワーク要素により送信された端末のサービス属性を受信することと、前記第１のネットワーク要素が前記端末のサービス属性に基づいて、前記端末のネットワーク動作パラメータを構成することとを含み、前記第１のネットワーク要素が移動通信ネットワークにおけるネットワーク要素であり、前記第２のネットワーク要素が外部ネットワークにおける前記端末とパケット伝送を行うネットワーク要素である。従来技術において、第１のネットワーク要素は、通常、端末によって送信されるＳＲ及び現在のチャネル条件に基づいて端末のネットワーク動作パラメータを構成するという構成と異なり、本願において、外部ネットワークからのサービス属性と結合して端末のより最適な構成を可能にし、端末と第２のネットワーク要素との間のサービス伝送効率を向上させることができる。
2021510013.tif 000002
【特許請求の範囲】
【請求項１】
第１のネットワーク要素が第２のネットワーク要素により送信された端末のサービス属性を受信することと、
前記第１のネットワーク要素が前記端末のサービス属性に基づいて、前記端末のネットワーク動作パラメータを構成することとを含み、
前記第１のネットワーク要素が移動通信ネットワークにおけるネットワーク要素であり、前記第２のネットワーク要素が外部ネットワークにおけるネットワーク要素である
ことを特徴とするネットワーク構成方法。
【請求項２】
前記サービス属性は、
前記パケットの長さ情報、
又は、前記パケットの長さ情報及び前記長さ情報に対応する時間帯、
又は、前記パケットの長さ情報及び前記長さ情報に対応する地理エリア、
又は、前記パケットの長さ情報、前記長さ情報に対応する時間帯及び前記長さ情報に対応する地理エリアを含む
ことを特徴とする請求項１に記載のネットワーク構成方法。
【請求項３】
前記パケットの長さ情報は、
前記パケットの長さ、
前記パケットの長さ範囲、
又は、前記パケットの長さの分布確率、
又は、前記パケットの長さ範囲の分布確率を含む。
ことを特徴とする請求項２に記載のネットワーク構成方法。
【請求項４】
前記サービス属性は、さらに、
前記パケットの長さ情報に対応する公共陸上移動ネットワークＰＬＭＮ情報、
及び／又は、
前記パケットの長さ情報に対応するネットワークスライス情報を含む
ことを特徴とする請求項２又は３に記載のネットワーク構成方法。
【請求項５】
前記第１のネットワーク要素が前記端末のサービス属性に基づいて、前記端末のネットワーク動作パラメータを構成することは、
前記第１のネットワーク要素が前記パケットの長さ情報に基づいて、前記端末のネットワーク動作パラメータを構成すること、
又は、前記第１のネットワーク要素が前記パケットの長さ情報、前記長さ情報に対応する時間帯及び現在時間に基づいて、前記端末のネットワーク動作パラメータを構成すること、
又は、前記第１のネットワーク要素が前記パケットの長さ情報、前記長さ情報に対応する地理エリア及び前記端末が所在する当前地理位置に基づいて、前記端末のネットワーク動作パラメータを構成すること、
又は、前記第１のネットワーク要素が前記パケットの長さ情報、前記長さ情報に対応する時間帯、現在時間、前記長さ情報に対応する地理エリア及び前記端末が所在する当前地理位置に基づいて、前記端末のネットワーク動作パラメータを構成することを含む
ことを特徴とする請求項２〜４のいずれか１項に記載のネットワーク構成方法。
【請求項６】
前記ネットワーク動作パラメータは、
サービス品質ＱｏＳパラメータ、
時間周波数リソース数、
伝送モード、
セキュリティ機構のうちの少なくとも１つを含む
ことを特徴とする請求項５に記載のネットワーク構成方法。
【請求項７】
前記サービス属性は、
前記パケットの到着間隔情報、
又は、前記パケットの到着間隔情報及び前記到着間隔情報に対応する時間帯、
又は、前記パケットの到着間隔情報及び前記到着間隔情報に対応する地理エリア、
又は、前記パケットの到着間隔情報、前記到着間隔情報に対応する時間帯及び前記到着間隔情報に対応する地理エリアを含む
ことを特徴とする請求項１〜６のいずれか１項に記載のネットワーク構成方法。
【請求項８】
前記パケットの到着間隔情報は、
前記パケットの到着間隔の期間、
又は、前記パケットの到着間隔の期間範囲、
又は、前記パケットの到着間隔の期間の分布確率、
又は、前記パケットの到着間隔の期間範囲の分布確率を含む
ことを特徴とする請求項７に記載のネットワーク構成方法。
【請求項９】
前記サービス属性は、さらに、
前記パケットの到着間隔情報に対応するＰＬＭＮ情報、
及び／又は、
前記パケットの到着間隔情報に対応するネットワークスライス情報を含む
ことを特徴とする請求項７又は８に記載のネットワーク構成方法。
【請求項１０】
前記第１のネットワーク要素が前記端末のサービス属性に基づいて、前記端末のネットワーク動作パラメータを構成することは、
前記第１のネットワーク要素が前記パケットの到着間隔情報に基づいて、前記端末のネットワーク動作パラメータを構成すること、
又は、前記第１のネットワーク要素が前記パケットの到着間隔情報、前記到着間隔情報に対応する時間帯及び現在時間に基づいて、前記端末のネットワーク動作パラメータを構成すること、
又は、前記第１のネットワーク要素が前記パケットの到着間隔情報、前記到着間隔情報に対応する地理エリア及び前記端末が所在する当前地理位置に基づいて、前記端末のネットワーク動作パラメータを構成すること、
又は、前記第１のネットワーク要素が前記パケットの到着間隔情報、前記到着間隔情報に対応する時間帯、現在時間、前記到着間隔情報に対応する地理エリア及び前記端末が所在する当前地理位置に基づいて、前記端末のネットワーク動作パラメータを構成することを含む
ことを特徴とする請求項７〜９のいずれか１項に記載のネットワーク構成方法。
【請求項１１】
前記ネットワーク動作パラメータは、
サービス品質ＱｏＳパラメータ、
時間周波数リソース位置、
伝送モード、
セキュリティ機構、
スケジューリング方針、
不連続受信ＤＲＸ周期のうちの少なくとも１つを含む
ことを特徴とする請求項１０に記載のネットワーク構成方法。
【請求項１２】
受信モジュールと、処理モジュールと、を備えるネットワーク構成装置であって、
前記受信モジュールは、第２のネットワーク要素により送信された端末のサービス属性を受信するように構成され、前記装置が移動通信ネットワークにおけるネットワーク要素であり、前記第２のネットワーク要素が外部ネットワークにおけるネットワーク要素であり、
前記処理モジュールは、前記端末のサービス属性に基づいて、前記端末のネットワーク動作パラメータを構成するように構成される
ことを特徴とするネットワーク構成装置。
【請求項１３】
前記サービス属性は、
前記パケットの長さ情報、
又は、前記パケットの長さ情報及び前記長さ情報に対応する時間帯、
又は、前記パケットの長さ情報及び前記長さ情報に対応する地理エリア、
又は、前記パケットの長さ情報、前記長さ情報に対応する時間帯及び前記長さ情報に対応する地理エリアを含む
ことを特徴とする請求項１２に記載のネットワーク構成装置。
【請求項１４】
前記パケットの長さ情報は、
前記パケットの長さ、
前記パケットの長さ範囲、
又は、前記パケットの長さの分布確率、
又は、前記パケットの長さ範囲の分布確率を含む。
ことを特徴とする請求項１３に記載のネットワーク構成装置。
【請求項１５】
前記サービス属性は、さらに、
前記パケットの長さ情報に対応する公共陸上移動ネットワークＰＬＭＮ情報、
及び／又は、
前記パケットの長さ情報に対応するネットワークスライス情報を含む
ことを特徴とする請求項１３又は１４に記載のネットワーク構成装置。
【請求項１６】
前記処理モジュールは、前記パケットの長さ情報に基づいて、前記端末のネットワーク動作パラメータを構成するように構成され、
又は、前記処理モジュールは、前記パケットの長さ情報、前記長さ情報に対応する時間帯及び現在時間に基づいて、前記端末のネットワーク動作パラメータを構成するように構成され、
又は、前記処理モジュールは、前記パケットの長さ情報、前記長さ情報に対応する地理エリア及び前記端末が所在する当前地理位置に基づいて、前記端末のネットワーク動作パラメータを構成するように構成され、
又は、前記処理モジュールは、前記パケットの長さ情報、前記長さ情報に対応する時間帯、現在時間、前記長さ情報に対応する地理エリア及び前記端末が所在する当前地理位置に基づいて、前記端末のネットワーク動作パラメータを構成するように構成される
ことを特徴とする請求項１３〜１５のいずれか１項に記載のネットワーク構成装置。
【請求項１７】
前記ネットワーク動作パラメータは、
サービス品質ＱｏＳパラメータ、
時間周波数リソース数、
伝送モード、
セキュリティ機構のうちの少なくとも１つを含む
ことを特徴とする請求項１６に記載のネットワーク構成装置。
【請求項１８】
前記サービス属性は、
前記パケットの到着間隔情報、
又は、前記パケットの到着間隔情報及び前記到着間隔情報に対応する時間帯、
又は、前記パケットの到着間隔情報及び前記到着間隔情報に対応する地理エリア、
又は、前記パケットの到着間隔情報、前記到着間隔情報に対応する時間帯及び前記到着間隔情報に対応する地理エリアを含む
ことを特徴とする請求項１２〜１７のいずれか１項に記載のネットワーク構成装置。
【請求項１９】
前記パケットの到着間隔情報は、
前記パケットの到着間隔の期間、
又は、前記パケットの到着間隔の期間範囲、
又は、前記パケットの到着間隔の期間の分布確率、
又は、前記パケットの到着間隔の期間範囲の分布確率を含む
ことを特徴とする請求項１８に記載のネットワーク構成装置。
【請求項２０】
前記サービス属性は、さらに、
前記パケットの到着間隔情報に対応するＰＬＭＮ情報、
及び／又は、
前記パケットの到着間隔情報に対応するネットワークスライス情報を含む
ことを特徴とする請求項１８又は１９に記載のネットワーク構成装置。
【請求項２１】
前記処理モジュールは、前記パケットの到着間隔情報に基づいて、前記端末のネットワーク動作パラメータを構成するように構成され、
又は、前記処理モジュールは、前記パケットの到着間隔情報、前記到着間隔情報に対応する時間帯及び現在時間に基づいて、前記端末のネットワーク動作パラメータを構成するように構成され、
又は、前記処理モジュールは、前記パケットの到着間隔情報、前記到着間隔情報に対応する地理エリア及び前記端末が所在する当前地理位置に基づいて、前記端末のネットワーク動作パラメータを構成するように構成され、
又は、前記処理モジュールは、前記パケットの到着間隔情報、前記到着間隔情報に対応する時間帯、現在時間、前記到着間隔情報に対応する地理エリア及び前記端末が所在する当前地理位置に基づいて、前記端末のネットワーク動作パラメータを構成するように構成される
ことを特徴とする請求項１８〜２０のいずれか１項に記載のネットワーク構成装置。
【請求項２２】
前記ネットワーク動作パラメータは、
サービス品質ＱｏＳパラメータ、
時間周波数リソース位置、
伝送モード、
セキュリティ機構、
スケジューリング方針、
不連続受信ＤＲＸ周期のうちの少なくとも１つを含む
ことを特徴とする請求項２１に記載のネットワーク構成装置。
【請求項２３】
プロセッサと、メモリとを備え、
前記メモリは、少なくとも１つの命令を記憶し、
前記少なくとも１つの命令が前記プロセッサによって実行されて、請求項１〜１１のいずれか１項に記載の第１のネットワーク要素によって実行されるステップを実現する
ことを特徴とするネットワーク要素。
【請求項２４】
請求項１から１１のいずれか１項に記載の第１のネットワーク要素によって実行されるステップをプロセッサによって実行するための少なくとも１つの命令を記憶している
ことを特徴とするコンピュータ可読記憶媒体。
【請求項２５】
第１のネットワーク要素と、第２のネットワーク要素と、を備える通信システムであって、
前記第１のネットワーク要素が前記第２のネットワーク要素により送信された端末のサービス属性を受信し、前記第１のネットワーク要素が移動通信ネットワークにおけるネットワーク要素であり、第２のネットワーク要素が外部ネットワークにおけるネットワーク要素であり、
前記第１のネットワーク要素が前記端末のサービス属性に基づいて、前記端末のネットワーク動作パラメータを構成する
ことを特徴とする通信システム。
【発明の詳細な説明】
【技術分野】
【０００１】
本願の実施例は、通信分野に関し、特に、ネットワーク構成方法、装置、ネットワーク要素及びシステムに関する。
【背景技術】
【０００２】
通信技術の発展に伴い、第５世代移動通信( Ｔｈｅ５ ｔｈ ｇｅｎｅｒａｔｉｏｎ、５Ｇ )技術ネットワークは、増強型モバイルブロードバンド( ｅｎｈａｎｃｅｄ Ｍｏｂｉｌｅ ＢｒｏａｄＢａｎｄ、ｅＭＢＢ )、マスマシンタイプ接続( ｍａｓｓｉｖｅ Ｍａｃｈｉｎｅ Ｔｙｐｅ Ｃｏｍｍｕｎｉｃａｔｉｏｎ、ｍＭＴＣ )、超高信頼マシンタイプ接続( ｕｌｔｒａ ｒｅｌｉａｂｌｅ Ｍａｃｈｉｎｅ Ｔｙｐｅ Ｃｏｍｍｕｎｉｃａｔｉｏｎ、ｕＭＴＣ )などの、より多様なサービス要件およびシーンをサポートすることになる。
【０００３】
５Ｇネットワークのアプリケーション層は、ｅＭＢＢ、ｍＭＴＣとｕＭＴＣの計３シーン全てのアプリケーションを含む。そして、将来の５Ｇネットワークは、様々な外部垂直ネットワークと結合する。この外部垂直ネットワークには、農業、製造業、物流、交通、生活サービス、公共サービス、教育、金融、医療、エネルギー等の垂直産業のネットワークが含まれる。
【０００４】
５Ｇネットワークと外部垂直ネットワークとの間の最適化をどのように行うかについては、現在でまだ解決策が存在しない。
【発明の概要】
【０００５】
本願の実施例は、５Ｇネットワーク内の端末と外部ネットワーク内のネットワーク要素との間のパケット通信を最適化することができるネットワーク構成方法、装置、ネットワーク要素及びシステムを提供する
本願の第１の形態は、ネットワーク構成方法を提供し、
第１のネットワーク要素が第２のネットワーク要素により送信された端末のサービス属性を受信することと、
前記第１のネットワーク要素が前記端末のサービス属性に基づいて、前記端末のネットワーク動作パラメータを構成することとを含み、
前記第１のネットワーク要素が移動通信ネットワークにおけるネットワーク要素であり、前記第２のネットワーク要素が外部垂直ネットワークにおいて前記端末とパケット伝送するネットワーク要素である。
【０００６】
任意選択的な実施例において、前記サービス属性は、
前記パケットの長さ情報、
又は、前記パケットの長さ情報及び前記長さ情報に対応する時間帯、
又は、前記パケットの長さ情報及び前記長さ情報に対応する地理エリア、
又は、前記パケットの長さ情報、前記長さ情報に対応する時間帯及び前記長さ情報に対応する地理エリアを含む。
【０００７】
任意選択的な実施例において、前記パケットの長さ情報は、
前記パケットの長さ、
前記パケットの長さ範囲、
又は、前記パケットの長さの分布確率、
又は、前記パケットの長さ範囲の分布確率を含む。
【０００８】
任意選択的な実施例において、前記サービス属性は、さらに、
前記パケットの長さ情報に対応する公共陸上移動ネットワーク（Ｐｕｂｌｉｃ Ｌａｎｄ Ｍｏｂｉｌｅ Ｎｅｔｗｏｒｋ、ＰＬＭＮ）情報、及び／又は、前記パケットの長さ情報に対応するネットワークスライス情報を含む。
【０００９】
任意選択的な実施例において、前記第１のネットワーク要素が前記端末のサービス属性に基づいて、前記端末のネットワーク動作パラメータを構成することは、
前記第１のネットワーク要素が前記パケットの長さ情報に基づいて、前記端末のネットワーク動作パラメータを構成すること、
又は、前記第１のネットワーク要素が前記パケットの長さ情報、前記長さ情報に対応する時間帯及び現在時間に基づいて、前記端末のネットワーク動作パラメータを構成すること、
又は、前記第１のネットワーク要素が前記パケットの長さ情報、前記長さ情報に対応する地理エリア及び前記端末が所在する当前地理位置に基づいて、前記端末のネットワーク動作パラメータを構成すること、
又は、前記第１のネットワーク要素が前記パケットの長さ情報、前記長さ情報に対応する時間帯、現在時間、前記長さ情報に対応する地理エリア及び前記端末が所在する当前地理位置に基づいて、前記端末のネットワーク動作パラメータを構成することを含む。
【００１０】
任意選択的な実施例において、前記ネットワーク動作パラメータは、
サービス品質（Ｑｕａｌｉｔｙ ｏｆ Ｓｅｒｖｉｃｅ、ＱｏＳ）パラメータ、
時間周波数リソース数、
伝送モード、
セキュリティ機構のうちの少なくとも１つを含む。
【００１１】
任意選択的な実施例において、前記サービス属性は、
前記パケットの到着間隔情報、
又は、前記パケットの到着間隔情報及び前記到着間隔情報に対応する時間帯、
又は、前記パケットの到着間隔情報及び前記到着間隔情報に対応する地理エリア、
又は、前記パケットの到着間隔情報、前記到着間隔情報に対応する時間帯及び前記到着間隔情報に対応する地理エリアを含む。
【００１２】
任意選択的な実施例において、前記パケットの到着間隔情報は、
前記パケットの到着間隔の期間、
又は、前記パケットの到着間隔の期間範囲、
又は、前記パケットの到着間隔の期間の分布確率、
又は、前記パケットの到着間隔の期間範囲の分布確率を含む。
【００１３】
任意選択的な実施例において、前記サービス属性は、さらに、
前記パケットの到着間隔情報に対応するＰＬＭＮ情報、
及び／又は、
前記パケットの到着間隔情報に対応するネットワークスライス情報を含む。
【００１４】
任意選択的な実施例において、前記第１のネットワーク要素が前記端末のサービス属性に基づいて、前記端末のネットワーク動作パラメータを構成することは、
前記第１のネットワーク要素が前記パケットの到着間隔情報に基づいて、前記端末のネットワーク動作パラメータを構成すること、
又は、前記第１のネットワーク要素が前記パケットの到着間隔情報、前記到着間隔情報に対応する時間帯及び現在時間に基づいて、前記端末のネットワーク動作パラメータを構成すること、
又は、前記第１のネットワーク要素が前記パケットの到着間隔情報、前記到着間隔情報に対応する地理エリア及び前記端末が所在する当前地理位置に基づいて、前記端末のネットワーク動作パラメータを構成すること、
又は、前記第１のネットワーク要素が前記パケットの到着間隔情報、前記到着間隔情報に対応する時間帯、現在時間、前記到着間隔情報に対応する地理エリア及び前記端末が所在する当前地理位置に基づいて、前記端末のネットワーク動作パラメータを構成することを含む。
【００１５】
任意選択的な実施例において、前記ネットワーク動作パラメータは、
サービス品質（Ｑｕａｌｉｔｙ ｏｆ− Ｓｅｒｖｉｃｅ、ＱｏＳ ）レベル、
時間周波数リソース位置、
伝送モード、
セキュリティ機構、
ページング周期、
スリープ/アウェイク状態のうちの少なくとも１つを含む。
【００１６】
本願の実施例の第２の態様は、ネットワーク構成装置を提供し、このネットワーク構成装置は、上記第１の態様に記載の第１のネットワーク要素のための方法を実施するための少なくとも１つのモジュールを含む。
【００１７】
本願の実施例の第３の態様は、第１のネットワーク要素を提供し、第１のネットワーク要素は、プロセッサと、メモリとを含み、メモリは、少なくとも１つの命令を記憶し、プロセッサは、第１の態様に記載の第１のネットワーク要素の方法を実行するために命令を実行する。
【００１８】
本願の実施例の第４の態様は、少なくとも１つの命令を含むコンピュータ可読記憶媒体を提供し、プロセッサは、上記の第１の態様に記載の第１のネットワーク要素のための方法を実行するために命令を実行する。
【００１９】
本願の実施例の第５の形態は、通信システムを提供し、前記システムは、第１のネットワーク要素及び第２のネットワーク要素を含み、
前記第１のネットワーク要素が前記第２のネットワーク要素により送信された端末のサービス属性を受信し、前記第１のネットワーク要素が移動通信ネットワークにおけるネットワーク要素であり、第２のネットワーク要素が外部ネットワークにおけるネットワーク要素であり、
前記第１のネットワーク要素が前記端末のサービス属性に基づいて、前記端末のネットワーク動作パラメータを構成する。
【００２０】
本願の実施例によって提供される技術的解決策の利点は、
外部ネットワークの第２のネットワーク要素を介して移動通信ネットワークの第１のネットワーク要素に端末のサービス属性を送信し、第１のネットワーク要素が端末のサービス属性に応じて端末のネットワーク動作パラメータを構成する。従来技術において、第１のネットワーク要素は、通常、端末によって送信されるスケジューリング要求( Ｓｃｈｅｄｕｌｉｎｇ Ｒｅｑｕｅｓｔ、ＳＲ )及び現在のチャネル条件に基づいて端末のネットワーク動作パラメータを構成するとい構成と異なり、本願において、外部ネットワークと結合して端末のより最適な構成を可能にし、端末と第２のネットワーク要素との間のサービス伝送効率を向上させることができる。
【図面の簡単な説明】
【００２１】
本開示の上記および他の特徴およびメリットは、添付の図面を参照して詳細に説明する例示的な実施形態により、より明らかになる。なお、以下の記載における図面は本発明の一部の実施例を示すものに過ぎず、当業者の場合、創造的な労働を付与しない前提で、これらの図面によって他の図面を得ることができる。
【図１】本願の実施例における通信ネットワークの構成の模式図である。
【図２】本願の実施例におけるネットワーク構成方法のフローチャートである。
【図３】本願の他の実施例におけるネットワーク構成方法のフローチャートである。
【図４】本願の他の実施例におけるネットワーク構成方法のフローチャートである。
【図５】本願の他の実施例におけるネットワーク構成装置のブロック図である。
【図６】本願の他の実施例における第１のネットワーク要素ブロック図である。
【図７】本願の他の実施例における通信システムブロック図である。
【発明を実施するための形態】
【００２２】
以下、本願の実施例について、図面を参照して詳細に説明する。本発明は、上述の実施の形態に限定されるものではない。
【００２３】
本明細書で言及される「モジュール」は、一般に、メモリに記憶された、ある機能を実行することが可能なプログラムまたは命令を指し、本明細書で「ユニット」との言及は、概して、論理的に分割された機能的構造を指し、この「ユニット」は、純粋なハードウェア、または、ハードウェアの組合せによって実装され得る。
【００２４】
本明細書で「複数」という用語は、２つ以上を意味する。「及び/又は」は、関連オブジェクトの関連付けを記述したものであり、Ａ及び/又はＢの３種類の関係があり得ることを示し、Ａのみ、ＡとＢが同時に存在すること、Ｂのみの３種類が存在することを示す。また、一般に「/」の文字は、前後の関連オブジェクトが"または"の関係にあることを示す。本明細書及び特許請求の範囲で使用される「第１の」、「第２の」及び類似の用語は、いかなる順序、量、又は重要性も表せず、異なる構成要素を区別するために使用されるものに過ぎない。
【００２５】
図１を参照し、本願の一実施例による通信ネットワーク１００の構造を示す図である。この通信ネットワーク１００は、端末１２０と、移動通信ネットワーク１４０と、外部ネットワーク１６０とを備える。
【００２６】
端末１２０は、移動端末(または「セルラー」電話と呼ばれる)などの移動電話、および移動通信機能を有するデバイスであり得、例えば、携帯型、ポケット型、ハンドヘルド型、コンピュータ内蔵型、または車載型の移動端末であり得る。端末１２０は、異なるモバイル通信ネットワークにおいて異なる名称を有することができる。例えば、移動局( Ｍｏｂｉｌｅ Ｓｔａｔｉｏｎ )、移動局( Ｍｏｂｉｌｅ )、アクセス端末( Ａｃｃｅｓｓ Ｔｅｒｍｉｎａｌ )、ユーザ装置( Ｕｓｅｒ Ｔｅｒｍｉｎａｌ )、ユーザエージェント( Ｕｓｅｒ Ａｇｅｎｔ )、ユーザ装置( Ｕｓｅｒ Ｄｅｖｉｃｅ )、又はユーザ端末( Ｕｓｅｒ Ｅｑｕｉｐｍｅｎｔ )である。
【００２７】
移動通信ネットワーク１４０は、第３世代パートナーシッププロジェクト( Ｔｈｉｒｄ Ｇｅｎｅｒａｔｉｏｎ Ｐａｒｔｎｅｒｓｈｉｐ Ｐｒｏｊｅｃｔ、３ ＧＰＰ )ネットワークであり得る。３ＧＰＰネットワークは、Ｌｏｎｇ−Ｔｅｒｍ Ｅｖｏｌｕｔｉｏｎ （ ＬＴＥ )ネットワーク、Ｎｅｗ Ｒａｄｉｏ ( ＮＲ )ネットワーク、及び５Ｇベースの更なる次世代移動通信ネットワークを含むが、これらに限定されない。移動通信ネットワーク１４０には、少なくとも１つのネットワーク要素が含まれる。例として、移動通信ネットワーク１４０は、少なくとも１つのコアネットワーク要素１４２と、少なくとも１つのアクセスネットワーク要素１４４とを含む。コアネットワーク要素１４２は、モビリティ管理エンティティ( Ｍｏｂｉｌｉｔｙ Ｍａｎａｇｅｍｅｎｔ Ｅｎｔｉｔｙ、ＭＭＥ )、サービングゲートウェイ( Ｓｅｒｖｉｎｇ Ｇａｔｅｗａｙ、ＳＧＷ )、パケットデータゲートウェイ( Ｐａｃｋｅｔ−Ｄａｔａ Ｎｅｔｗｏｒｋ Ｇａｔｅｗａｙ、Ｐ−ＧＷ、又はＰＤＮ−ＧＷ )、または他の同様の能力のネットワーク要素であり得る。アクセスネットワーク要素１４４は、基地局であり得る。例えば、基地局は、集中分散アーキテクチャを採用する５Ｇシステムの基地局であり得る( ｇＮＢ )。アクセスネットワーク要素１２０が集中分散アーキテクチャを採用する場合、通常、集中ユニット( ｃｅｎｔｒａｌ ｕｎｉｔ、ＣＵ )および少なくとも２つの分散ユニット( ｄｉｓｔｒｉｂｕｔｅｄ ｕｎｉｔ、ＤＵ )を含む。集中型ユニット内に、パケットデータコンバージェンスプロトコル( Ｐａｃｋｅｔ Ｄａｔａ Ｃｏｎｖｅｒｇｅｎｃｅ Ｐｒｏｔｏｃｏｌ、ＰＤＣＰ )レイヤ、無線リンクレイヤ制御プロトコル( Ｒａｄｉｏ Ｌｉｎｋ Ｃｏｎｔｒｏｌ、ＲＬＣ )レイヤ、メディアアクセス制御( Ｍｅｄｉａ Ａｃｃｅｓｓ Ｃｏｎｔｒｏｌ、ＭＡＣ )レイヤのプロトコルスタックが設けられ、分散ユニットには物理( Ｐｈｙｓｉｃａｌ、ＰＨＹ )レイヤプロトコルスタックが設けられ、本願の実施例はアクセスネットワーク要素１２０の具体的な実現方式を限定しない。任意選択で、アクセスネットワーク要素は、ホーム基地局( Ｈｏｍｅ ｅＮＢ、ＨｅＮＢ )、リレー( Ｒｅｌａｙ )、ピコ基地局Ｐｉｃｏなどをさらに含むことができる。
【００２８】
外部ネットワーク１６０に接続される少なくとも１つのコアネットワーク要素１４２が存在し、このコアネットワーク要素１４２は、データを伝送する能力を有し、端末１２０と外部ネットワーク１６０との通信を実現する。アクセスネットワーク要素１４４と端末１２０との間は無線ポートを介して無線接続が確立される。任意選択で、無線ポートは、第５世代移動体通信ネットワーク技術( ５Ｇ )規格に基づく無線ポートであり、例えば、無線ポートは、ＮＲ( Ｎｅｗ Ｒａｄｉｏ )であり、又は、該無線ポートは、５Ｇの更なる次世代移動通信ネットワーク技術規格に基づく無線ポートであってもよい。
【００２９】
外部ネットワーク１６０は、外部インターネットプロトコル( Ｉｎｔｅｍｅｔ Ｐｒｏｔｏｃｏｌ、ＩＰ )ネットワーク又は外部垂直ネットワークであってよい。任意選択で、外部ネットワーク１６０は、農業、製造業、物流、交通、生活サービス、公共サービス、教育、金融、医療、エネルギー等の垂直産業に適したネットワークである。例えば、外部ネットワーク１６０は、電力産業の自動化された電力テーブル作成のためのネットワークであり、また、例えば、外部ネットワーク１６０は、水利業界で自動化されたテーブルを作成するためのネットワークであり、また、例えば、外部ネットワーク１６０は、教育業界に用いられるＩＰネットワークである。外部ネットワーク１６０は、移動通信ネットワーク１４０とは異なる通信プロトコル、すなわち、移動通信ネットワーク１４０とは異なるネットワークを採用する。
【００３０】
任意選択で、外部ネットワーク１６０にはネットワーク要素１６２が含まれ、このネットワーク要素１６２は、制御ネットワーク要素でもよく、データタイプネットワーク要素でもよく、端末又はセンサでもよい。本願の実施例は、ネットワーク要素１６２の具体的なタイプを限定しない。
【００３１】
任意選択で、ネットワーク要素１６２と、移動通信ネットワーク１４０内のネットワーク要素(コアネットワーク要素又はアクセスネットワーク要素)との間に、所定の制御プレーンインターフェースを有する。制御プレーンインターフェースは、無線ネットワークまたは有線ネットワーク上の論理インターフェースであり、制御プレーンシグナリングのネットワークエレメント１６２による送受信を可能にするために使用される。例えば、光ケーブル上に存在する論理インタフェース、ケーブル上に存在する論理インタフェースである。ネットワーク要素１６２は、制御プレーンインタフェースを介して、移動通信ネットワーク１４０内のネットワーク要素と制御プレーンデータを通信することができる。または、ネットワーク要素１６２と移動通信ネットワーク１４０におけるネットワーク要素との間に制御プレーインタフェースが存在しない場合には、ネットワーク要素１６２と移動通信ネットワーク１４０とが通常のＩＰパケットによって制御プレーンデータの通信を行うようにしてもよく、本願はこれに限定されるものではない。
【００３２】
任意選択で、ネットワーク要素１６２と、移動通信ネットワーク１４０内のネットワーク要素(コアネットワーク要素又はアクセスネットワーク要素)との間に、所定のデータプレーンインターフェースを有する。データプレーンインターフェースは、無線ネットワークまたは有線ネットワーク上の論理インターフェースであり、関連するサービスに対するネットワークエレメント１６２によるパケット送受信を可能にするために使用される。例えば、光ケーブル上に存在する論理インタフェース、ケーブル上に存在する論理インタフェースである。ネットワーク要素１６２は、データプレーンインタフェースを介して、移動通信ネットワーク１４０内のネットワーク要素とパケットの送受信を通信することができる。または、ネットワーク要素１６２と移動通信ネットワーク１４０におけるネットワーク要素との間にデータプレーインタフェースが存在しない場合には、ネットワーク要素１６２と移動通信ネットワーク１４０とが通常のＩＰパケットによってデータプレーンデータの通信を行うようにしてもよく、本願はこれに限定されるものではない。
【００３３】
なお、図１に示す通信ネットワークにおいて、端末１２０、コアネットワーク要素１４２、アクセスネットワーク要素１４４、およびネットワーク要素１６２の数は、模式的なものである。具体的には、端末１２０、コアネットワーク要素１４２、アクセスネットワーク要素１４４、及びネットワーク要素１６２の数は、それぞれ１つ以上であってもよく、本発明の実施例はこれに限定されない。
【００３４】
図２は、本願の一実施例によるネットワーク構成方法のフローチャートを示す。この実施例における第１のネットワーク要素は、図１に示す移動通信ネットワーク１４０におけるコアネットワーク要素１４２又はアクセスネットワーク要素１４４であっても良く、第２のネットワーク要素は、図１に示す外部ネットワーク１６０におけるネットワーク要素１６２であってもよい。この方法は、以下のステップを含む。
【００３５】
ステップ２０１において、第２のネットワーク要素が第１のネットワーク要素に端末のサービス属性を送信する。
【００３６】
任意選択で、第２のネットワーク要素と端末との間に、少なくとも１つのパケットによってサービスデータが送信されるサービスが存在する。例えば、このサービスデータは、第２のネットワーク要素が定期的に端末に報告する必要があるデータであってもよく、端末が定期的に第２のネットワーク要素に報告する必要があるデータであってもよい。
【００３７】
サービス属性は、そのサービスに関する属性情報である。任意選択で、サービス属性は、そのサービス内のパケットに関する属性情報である。
【００３８】
例として、端末のサービス属性は、パケットの長さ情報、及び／又は、パケットの到着間隔情報を含む。
【００３９】
任意選択で、第２のネットワーク要素は、所定のインターフェースを介して、端末のサービス属性を第１のネットワーク要素に送信する。このサービス属性には、端末の識別子も含めることができる。端末の識別子は、セル無線ネットワーク一時識別( Ｃｅｌｌ Ｒａｄｉｏ−Ｎｅｔｗｏｒｋ Ｔｅｍｐｏｒａｒｙ Ｉｄｅｎｔｉｆｉｅｒ、Ｃ−ＲＮＴＩ )などの移動通信ネットワークにおける第１の識別子であっても良いし、国際移動体機器識別コード( Ｉｎｔｅｒｎａｔｉｏｎａｌ Ｍｏｂｉｌｅ Ｅｑｕｉｐｍｅｎｔ Ｉｄｅｎｔｉｆｉｅｒ、ＩＭＥＩ )などの移動通信ネットワーク及び外部ネットワークの両方における共通の識別子であってもよく、外部ネットワークにおける端末の第２の識別子であってもよく、この場合、移動通信ネットワークは、端末の第１の識別子と第２の識別子との対応関係を記憶することができる。
【００４０】
ステップ２０２において、第１のネットワーク要素が第２のネットワーク要素により送信された端末のサービス属性を受信する。
【００４１】
任意選択で、第１のネットワーク要素は、第２のネットワーク要素によって送信される端末のサービス属性を、所定のインターフェースを介して受信する。
【００４２】
ステップ２０３において、第１のネットワーク要素は、端末のサービス属性に基づいて、端末のネットワーク動作パラメータを構成する。
【００４３】
任意選択で、端末のネットワーク動作パラメータは、サービスに関する動作パラメータである。このネットワーク動作パラメータの構成過程は、端末内のネットワーク動作パラメータを構成し、及び/又は、アクセスネットワーク要素における該端末に関するネットワーク動作パラメータを構成し、および/または、コアネットワーク要素における該端末に関するネットワーク動作パラメータを構成しても良い。
【００４４】
以上のように、本実施のネットワーク構成方法は、外部ネットワークにおける第２のネットワーク要素を介して移動通信ネットワークにおける第１のネットワーク要素に端末のサービス属性を送信し、第１のネットワーク要素が端末のサービス属性に基づいて端末のネットワーク動作パラメータを構成する。従来技術において、第１のネットワーク要素は、端末が送信するＳＲと現在のチャネル条件に応じて端末のネットワーク動作パラメータを構成するという構成と異なり、本願は、外部ネットワークと結合して端末に最適な構成を実現し、端末と第２ネットワーク要素との間のサービス伝送効率を向上させることができる。
【００４５】
図２に基づく実施例において、端末のサービス属性は、パケットの長さ情報を含む。図３に示すように、この方法は、以下の内容を含む。
【００４６】
ステップ３０１において、第２のネットワーク要素が第１のネットワーク要素に端末のサービス属性を送信し、該サービス属性は、パケットの長さ情報を含み、
端末のパケットは、端末が第２のネットワーク要素に送信するパケット、及び／又は、第２のネットワーク要素が端末に送信するパケットを含む。
【００４７】
任意選択で、第２のネットワーク要素は、所定のインタフェースを介して、端末のパケットの長さ情報を第１のネットワーク要素に送信する。この長さ情報は、異なる表現を用いて表現されてもよい。この長さ情報は、パケットのサイズ情報ともいうことができる。
【００４８】
長さ情報は、概略的には、以下の４つの情報のうちのいずれか１つであってもよい。
【００４９】
１、パケットの長さであり、例えば、パケットの長さがとも２５６ｂｉｔであり、
２、パケットの長さ範囲であり、例えば、パケットの長さ範囲が[１００ｂｉｔ、１２０ｂｉｔ]であり、
３、パケットの長さの分布確率であり、例えば、パケットの長さの分布確率は、２５６ｂｉｔの確率が６０％であり、１２８ｂｉｔの確率が４０％であり、
４、パケットの長さ範囲の分布確率、例えば、パケットの長さが範囲[１００ｂｉｔ、２００ｂｉｔ]に属する確率が９８％であり、範囲[２０１ｂｉｔ、４００ｂｉｔ]に属する確率が２％である。
【００５０】
任意選択で、サービス属性は、さらに、端末の識別子を含む。
【００５１】
ステップ３０２において、第１のネットワーク要素が第２のネットワーク要素により送信された端末のサービス属性を受信する。
【００５２】
任意選択で、第１のネットワーク要素は、第２のネットワーク要素が送信した端末のパケットの長さ情報を、所定のインタフェースを介して受信する。第１ネットワーク要素は、第２ネットワーク要素が同時に送信する端末の識別子をさらに受信することができる。
【００５３】
ステップ３０３において、第１のネットワーク要素がパケットの長さ情報に基づいて、端末のネットワーク動作パラメータを構成する。
【００５４】
端末のネットワーク動作パラメータは、サービスに関する動作パラメータである。このネットワーク動作パラメータの構成過程は、端末内のネットワーク動作パラメータを構成し、及び/又は、アクセスネットワーク要素における該端末に関するネットワーク動作パラメータを構成し、および/または、コアネットワーク要素における該端末に関するネットワーク動作パラメータを構成しても良い。
【００５５】
任意選択で、第１のネットワーク要素が端末のパケットの長さ情報に基づいて、該端末に関連する少なくとも１つタイプのネットワーク動作パラメータを構成する。該少なくとも１つタイプのネットワーク動作パラメータは、以下のものを含むが、これらに限定されない。
【００５６】
１、ＱｏＳパラメータ、
ＱｏＳパラメータは、パケットの伝送速度、信頼性、誤り率、パケット損失率等に関するパラメータを保証するためのパラメータである。
【００５７】
例として、パケットの長さが閾値未満である場合、端末のために第１のセットのＱｏＳパラメータのを構成し、パケットの長さが閾値より大きい場合、第２のセットのＱｏＳパラメータが端末に構成する。パケットが大きい場合に再送回数を減らすことを保証するために、第２のセットのＱｏＳパラメータは、第１のセットのＱｏｓパラメータのよりも優れている。ＱｏＳパラメータは、以下に限定されるものではないが、ＱｏＳクラス識別子( ＱｏＳ Ｃｌａｓｓ Ｉｄｅｎｔｉｆｉｅｒ、ＱＣＩ )、割当及び予約優先度( Ａｌｌｏｃａｔｉｏｎ / Ｒｅｔｅｎｔｉｏｎ Ｐｒｉｏｒｉｔｙ、ＡＲＰ )、保証ビットレート( Ｇｕａｒａｎｔｅｅｄ Ｂｉｔ Ｒａｔｅ、ＧＢＲ )、最大ビットレート( Ｍａｘｉｍｕｍ Ｂｉｔ Ｒａｔｅ、ＭＢＲ )のうちの少なくとも１つを含む。ＱＣＩは、１セットのスケジューリング重み、キャッシュキュー管理閾値、リンク層プロトコル構成などを定義するために使用され得る。本願の実施例は、第１のネットワーク要素の具体的な構成方式を限定しない。
【００５８】
２、時間周波数リソース数、
時間周波数リソースは、物理リソースブロック( Ｐｈｙｓｉｃａｌ Ｒｅｓｏｕｒｃｅ Ｂｌｏｃｋ、ＰＲＢ )、物理リソースブロックペア( Ｐｈｙｓｉｃａｌ Ｒｅｓｏｕｒｃｅ Ｂｌｏｃｋ ｐａｉｒ、ＰＲＢ ｐａｉｒ )、物理リソースブロックグループ( Ｐｈｙｓｉｃａｌ Ｒｅｓｏｕｒｃｅ Ｂｌｏｃｋ Ｇｒｏｕｐ、ＲＢＧ )、または仮想リソースブロック( Ｖｉｒｔｕｌ Ｒｅｓｏｕｒｃｅ Ｂｌｏｃｋ、ＶＲＢ )であり得る。任意選択で、１つのＰＲＢ ｐａｉｒは、周波数領域において１２個の連続するサブキャリアを含み、時間領域において１４個の連続するシンボルを含む。ここで、シンボルとは、１つのサブキャリアが存在する周波数領域が１５ ｋＨｚである移動通信システムの直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＯＦＤＭ )シンボル、又は、シングルキャリア周波数分割多重( Ｓｉｎｇｌｅ−ｃａｒｒｉｅｒ Ｆｒｅｑｕｅｎｃｙ−Ｄｉｖｉｓｉｏｎ Ｍｕｌｔｉｐｌｅ Ａｃｃｅｓｓ、ＳＣ−ＦＤＭＡ )シンボル、又は、１つのサブキャリアが存在する周波数領域が１５ ｋＨｚより大きい通信システムのシンボルである。１つのＰＲＢは、時間領域で１つの伝送時間長のリソースを占有し、伝送時間長は、異なる移動通信バージョンにおいて、１シンボルから１４シンボルまでの任意のシンボル数であっても良い。
【００５９】
例として、第１のネットワーク要素は、パケットの長さ情報に基づいて、該端末に割り当てる時間周波数リソース数を構成することができる。例えば、端末が毎回アップロードするパケットの長さの範囲は[ １００ｂｉｔ、２００ｂｉｔ ]であり、第１のネットワーク要素は、端末の現在のチャネル条件、端末が採用する変調符号化方式などの情報を参照して、その端末に２００ｂｉｔパケットを伝送するのに十分な上り時間周波数リソースを毎回割り当てることができる。また例えば、全パケットの長さが１０ＭＢであれば、第１のネットワーク要素は１０ＭＢのデータを伝送するのに十分な上り時間周波数リソースを端末に構成する。
【００６０】
３、伝送モード、
複数のマルチアンテナ伝送方式は、それぞれ異なる伝送モードに対応しているので、第１のネットワーク要素は、パケットの長さ情報に応じて、端末に対して動的に異なる伝送モードを構成することができる。
【００６１】
４、セキュリティ機構、
セキュリティ機構は、認証、データ伝送セキュリティ等に関する機構である。
【００６２】
例えば、パケットの長さ情報が第１の閾値よりも小さい場合、第１のネットワーク要素は、端末のセキュリティ機構を起動する。また例えば、パケットの長さ情報が所定の長さ範囲である場合、第１のネットワーク要素は、端末のセキュリティ機構を起動する。また例えば、端末は、パケットの長さ情報が第２の閾値より小さい場合、第１の暗復号アルゴリズムを用いてパケットの暗復号を行い、端末は、パケットの長さ情報が第２の閾値より大きい場合に、第２の暗復号アルゴリズムを用いてパケットの暗復号を行う。ここで、第１の暗復号アルゴリズムの複雑度は、第２の暗復号アルゴリズムの複雑度よりも小さく、これにより、パケットが小さい場合に暗復号処理によって生じる伝送遅延を低減することができる。
【００６３】
以上のように、この実施例のネットワーク構成方法は、外部ネットワークにおける第２のネットワーク要素を介して移動通信ネットワークにおける第１のネットワーク要素に端末のパケットの長さ情報を送信することにより、第１のネットワーク要素が端末のパケットの長さ情報に基づいて端末のネットワーク動作パラメータを動的に構成する。これより、前記第１のネットワーク要素が異なるパケットの長さ情報の下で、端末に適切なネットワーク動作パラメータを構成して、端末と前記第２のネットワーク要素との間でパケットを伝送する際の効率及び成功率を向上させ、遅延を減少させることができる。
【００６４】
図３に基づく実施例では、端末のサービス属性は、長さ情報に対応する時間帯をさらに含む。例として、第１の時間帯におけるパケットの長さ情報は長さ情報１、第２の時間帯におけるパケットの長さ情報は長さ情報２、第３の時間帯におけるパケットの長さ情報は長さ情報３である。すなわち、時間帯によって異なる長さ情報に対応できる。
【００６５】
第１のネットワーク要素は、パケットの長さ情報、長さ情報に対応する時間帯及び現在時間に基づいて、端末のネットワーク動作パラメータを構成しても良い。例として、第１のネットワーク要素は、現在時間が属する時間帯を決定し、該時間帯に対応するパケットの長さ情報を検索し、該時間帯に対応するパケットの長さ情報に基づいて、端末のネットワーク動作パラメータを構成する。
【００６６】
この実施例のネットワーク構成方法は、異なる時間帯のパケットの長さ情報に応じて、異なる時間帯で適切なネットワーク動作パラメータを端末に構成することができ、異なる時間帯での端末と第２のネットワーク要素との間のパケット伝送の効率化及び成功率を向上させ、さらに、遅延を低減させることができる。
【００６７】
図３に基づく別の実施例では、端末のサービス属性は、長さ情報に対応する地理エリアをさらに含む。例として、第１の地理エリアにおけるパケットの長さ情報は長さ情報１、第２の地理エリアにおけるパケットの長さ情報は長さ情報２、第３の地理エリアにおけるパケットの長さ情報は長さ情報３である。すなわち、異なる地理エリアに異なる長さ情報を対応させることができる。
【００６８】
第１のネットワーク要素は、端末が存在する現在地理位置を取得し、パケットの長さ情報、長さ情報に対応する地理エリア、及び端末が存在する現在地理位置に基づいて、端末のネットワーク動作パラメータを構成することができる。例として、第１のネットワーク要素は、端末の現在地理位置が位置する目標地理エリアを決定し、目標地理エリアに対応するパケットの長さ情報を検索し、その目標地理的エリアに対応するパケットの長さ情報に基づいて端末のネットワーク動作パラメータを構成する。
【００６９】
この実施例のネットワーク構成方法は、異なる地理エリアのパケットの長さ情報に基づいて、異なる地理エリアの端末に適切なネットワーク動作パラメータを構成することができ、また、端末が異なる地理エリアの場合に適切なネットワーク動作パラメータを構成することができるので、異なる地理エリアに端末と第２のネットワーク要素との間でパケットを伝送する際の効率及び成功率を向上させ、遅延時間を減少させることができる。
【００７０】
図３に基づく別の実施例では、端末のサービス属性は、長さ情報対応ＰＬＭＮをさらに含む。例として、第１のＰＬＭＮのパケットの長さ情報は長さ情報１、第２のＰＬＭＮのパケットの長さ情報は長さ情報２、第３のＰＬＭＮのパケットの長さ情報は長さ情報３である。すなわち、異なるＰＬＭＮで異なる長さ情報に対応できる。
【００７１】
第１のネットワーク要素は、端末が存在する現在のＰＬＭＮを取得し、パケットの長さ情報と、長さ情報に対応するＰＬＭＮと、端末が存在する現在のＰＬＭＮとに基づいて、端末のネットワーク動作パラメータを構成することができる。例として、第１のネットワーク要素は、端末の現在ＰＬＭＮを決定し、現在ＰＬＭＮに対応するパケットの長さ情報を検索し、該現在ＰＬＭＮに対応するパケットの長さ情報に基づいて端末のネットワーク動作パラメータを構成する。
【００７２】
この実施例のネットワーク構成方法は、異なるＰＬＭＮのパケットの長さ情報に基づいて、異なるＰＬＭＮを採用する端末に適切なネットワーク動作パラメータを構成することができ、また、端末が異なるＰＬＭＮに存在する場合に、端末に適切なネットワーク動作パラメータを構成することができるので、異なるＰＬＭＮのいずれにおいても、端末と第２のネットワーク要素との間でパケットを伝送する際の効率と成功率を向上させ、遅延を低減させることができる。
【００７３】
ネットワークスライスは、５Ｇネットワークに導入される特性である。５Ｇネットワークは、ｅＭＢＢ、ｍＭＴＣ及びｕＭＴＣの３つのシナリオの異なるアプリケーションを同時にサポートする。異なるアプリケーションのために異なる専用ネットワークを構成すると、リソースの浪費が大きいので、ネットワーク機能仮想化( Ｎｅｔｗｏｒｋ Ｆｕｎｃｔｉｏｎ Ｖｉｒｔｕａｌｌｉｚａｔｉｏｎ、ＮＦＶ )の進展に伴い、５Ｇネットワークは異なるサービス要求のために異なる仮想ネットワークを構築することができる。ネットワークスライスは、汎用的な物理基盤設定に基づいて、ネットワークを論理的に定義や分割して、エンドツーエンドの仮想ネットワークを形成するものであり、各仮想ネットワークは異なる機能特性を備えている。典型的なネットワークスライスは、エンドツーエンド専用ネットワークを形成する仮想アクセスネットワーク機能およびコアネットワーク機能のセットを含む。
【００７４】
図３に基づく実施例において、端末のサービス属性は、さらに、長さ情報に対応するネットワークスライス情報を含む。例として、第１のネットワークスライスのパケットの長さ情報が長さ情報１、第２のネットワークスライスのパケットの長さ情報が長さ情報２、第３のネットワークスライスのパケットの長さ情報が長さ情報３である。即ち、異なるネットワークスライスが異なる長さ情報に対応する。
【００７５】
第１のネットワーク要素は、端末が存在する現在のネットワークスライスを取得し、パケットの長さ情報、長さ情報に対応するネットワークスライス及び端末の所在の現在ネットワークスライスに基づいて、端末のネットワーク動作パラメータを構成する。例として、第１のネットワーク要素は、端末の現在のネットワークスライスを決定し、現在のネットワークスライスに対応するパケットの長さ情報を検索し、該現在のネットワークスライスに対応するパケットの長さ情報に基づいて、端末のネットワーク動作パラメータを構成する。
【００７６】
この実施例のネットワーク構成方法は、異なるネットワークスライスのパケットの長さ情報に基づいて、異なるネットワークスライスを採用する端末に適切なネットワーク動作パラメータを構成することができ、また、端末が異なるネットワークスライスに存在する場合に、端末に適切なネットワーク動作パラメータを設定することができるので、異なるネットワークスライスのそれぞれにおいて、端末と第２のネットワーク要素との間でパケットを伝送する際の効率及び成功率を向上させることができ、また、遅延時間を減少させることができる。
【００７７】
図２に基づく別の実施形態では、端末のサービス属性は、パケットの到着間隔情報を含む。図４に示すように、以下のものを含む。
【００７８】
ステップ４０１において、第２のネットワーク要素が第１のネットワーク要素に端末のサービス属性を送信し、該サービス属性が、パケットの到着間隔情報を含み、
端末のパケットは、端末が第２のネットワーク要素に送信するパケット、および/または、第２のネットワーク要素が端末に送信するパケットを含む。パケットが規則的に送信される場合、隣り合う２回に送信されるパケット(またはパケットセット)の間には到着間隔が存在する。例えば、第２のネットワーク要素が１５分毎に端末にパケットを送信すると、その到着間隔は１５分となる。
【００７９】
任意選択で、第２のネットワーク要素は、所定のインタフェースを介して、端末のパケットの到着間隔情報を第１のネットワーク要素に送信する。この到着間隔情報は、異なる表現を用いて表現されてもよい。この到着間隔情報は、パケットのサイズ情報とも言える。
【００８０】
この到着間隔情報は、概略的には、以下の４つの情報のうちのいずれか１つであってよい。
【００８１】
１、パケットの到着間隔の期間であり、例えば、パケットの到着間隔が５秒、１０分、１時間等であり、
２、パケットの到着間隔の期間範囲であり、例えば、パケットの到着間隔の期間範囲が[２秒、４秒]であり、
４、パケットの到着間隔の期間範囲の分布確率であり、例えば、パケットの到着間隔の期間範囲の分布確率は、１５分の確率が８０％、２０分の確率が２０％であり、
４、パケットの到着間隔の期間範囲の分布確率であり、例えば、パケットの到着間隔が範囲[８秒、１０ｓ]に属する確率が９８％、範囲[１０ｓ、２０ｓ]に属する確率が２％である。
【００８２】
任意選択で、サービス属性は、さらに、端末の識別子を含む。
【００８３】
ステップ４０２において、第１のネットワーク要素が第２のネットワーク要素により送信された端末のサービス属性を受信し、
任意選択で、第１のネットワーク要素は、第２のネットワーク要素が送信した端末のパケットの到着間隔情報を、所定のインタフェースを介して受信する。第１のネットワーク要素は、第２のネットワーク要素によって送信される端末の識別子を同時に受信することもできる。
【００８４】
ステップ４０４において、第１のネットワーク要素は、パケットの到着間隔情報に基づいて、端末のネットワーク動作パラメータを構成する。
【００８５】
端末のネットワーク動作パラメータは、サービスに関する動作パラメータである。このネットワーク動作パラメータの構成過程は、端末内のネットワーク動作パラメータを構成し、及び/又は、アクセスネットワーク要素における該端末に関するネットワーク動作パラメータを構成し、および/または、コアネットワーク要素における該端末に関するネットワーク動作パラメータを構成しても良い。
【００８６】
任意選択で、第１のネットワーク要素が端末のパケットの到着間隔情報に基づいて、該端末に関連する少なくとも１つタイプのネットワーク動作パラメータを構成する。該少なくとも１つタイプのネットワーク動作パラメータは、以下のものを含むが、これらに限定されない。
【００８７】
１、ＱｏＳパラメータ、
ＱｏＳパラメータは、パケットの伝送速度、信頼性、誤り率、パケット損失率等に関するパラメータを保証するためのパラメータである。
【００８８】
例として、パケットの到着間隔が閾値未満である場合、端末のために第１のセットのＱｏＳパラメータのを構成し、パケットの到着間隔が閾値より大きい場合、第２のセットのＱｏＳパラメータが端末に構成する。パケットの到着間隔が小さい場合に再送回数を減らすことを保証するために、第１のセットのＱｏＳパラメータは、第２のセットのＱｏｓパラメータのよりも優れている。ＱｏＳパラメータは、以下に限定されるものではないが、ＱｏＳクラス識別子( ＱｏＳ Ｃｌａｓｓ Ｉｄｅｎｔｉｆｉｅｒ、ＱＣＩ )、割当及び予約優先度( Ａｌｌｏｃａｔｉｏｎ / Ｒｅｔｅｎｔｉｏｎ Ｐｒｉｏｒｉｔｙ、ＡＲＰ )、保証ビットレート( Ｇｕａｒａｎｔｅｅｄ Ｂｉｔ Ｒａｔｅ、ＧＢＲ )、最大ビットレート( Ｍａｘｉｍｕｍ Ｂｉｔ Ｒａｔｅ、ＭＢＲ )のうちの少なくとも１つを含む。ＱＣＩは、１セットのスケジューリング重み、キャッシュキュー管理閾値、リンク層プロトコル構成などを定義するために使用され得る。本願実施例は、第１のネットワーク要素の具体的な構成方式を限定しない。
【００８９】
２、時間周波数リソース位置、
時間周波数リソースは、物理リソースブロック( Ｐｈｙｓｉｃａｌ Ｒｅｓｏｕｒｃｅ Ｂｌｏｃｋ、ＰＲＢ )、物理リソースブロックペア( Ｐｈｙｓｉｃａｌ Ｒｅｓｏｕｒｃｅ Ｂｌｏｃｋ ｐａｉｒ、ＰＲＢ ｐａｉｒ )、物理リソースブロックグループ( Ｐｈｙｓｉｃａｌ Ｒｅｓｏｕｒｃｅ Ｂｌｏｃｋ Ｇｒｏｕｐ、ＲＢＧ )、または仮想リソースブロック( Ｖｉｒｔｕｌ Ｒｅｓｏｕｒｃｅ Ｂｌｏｃｋ、ＶＲＢ )であり得る。任意選択で、１つのＰＲＢ ｐａｉｒは、周波数領域において１２個の連続するサブキャリアを含み、時間領域において１４個の連続するシンボルを含む。ここで、シンボルとは、１つのサブキャリアが存在する周波数領域が１５ｋＨｚである移動通信システムの直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＯＦＤＭ )シンボル、又は、シングルキャリア周波数分割多重( Ｓｉｎｇｌｅ−ｃａｒｒｉｅｒ Ｆｒｅｑｕｅｎｃｙ−Ｄｉｖｉｓｉｏｎ Ｍｕｌｔｉｐｌｅ Ａｃｃｅｓｓ、ＳＣ−ＦＤＭＡ )シンボル、又は、１つのサブキャリアが存在する周波数領域が１５ ｋＨｚより大きい通信システムのシンボルである。１つのＰＲＢは、時間領域で１つの伝送時間の到着間隔のリソースを占有し、伝送時間の到着間隔は、異なる移動通信バージョンにおいて、１シンボルから１４シンボルまでの任意のシンボル数であってもよい。
【００９０】
例として、第１のネットワーク要素は、パケットの到着間隔情報に基づいて、該端末に割り当てられる時間周波数リソース位置を構成することができる。例えば、端末が毎回アップロードする必要のあるパケットの到着間隔範囲は[ ５ ｓ、６ ｓ ]であり、第１のネットワーク要素は、端末が今回使用する時間周波数リソース位置と到着間隔範囲とに合わせて、次回使用する時間周波数リソース位置を構成することができる。
【００９１】
３、伝送モード、
複数のマルチアンテナ伝送方式は、それぞれ異なる伝送モードに対応しているので、第１のネットワーク要素は、パケットの到着間隔情報に応じて、端末に対して動的に異なる伝送モードを構成することができる。
【００９２】
４、セキュリティ機構、
セキュリティ機構は、認証、データ伝送セキュリティ等に関する機構である。
【００９３】
例えば、パケットの到着間隔情報が第１の閾値よりも小さい場合、第１のネットワーク要素は、端末のセキュリティ機構を起動する。また例えば、パケットの到着間隔情報が指定された到着間隔の範囲である場合、第１のネットワーク要素は端末のセキュリティ機構を起動する。また例えば、端末は、パケットの到着間隔情報が第２の閾値より小さい場合、第１の暗復号アルゴリズムを用いてパケットの暗復号を行い、端末は、パケットの到着間隔情報が第２の閾値より大きい場合、第２の暗復号アルゴリズムを用いてパケットの暗復号を行う。ここで、第１の暗復号アルゴリズムの複雑度は、第２の暗復号アルゴリズムの複雑度よりも小さく、パケットの到着間隔が小さい場合に暗復号処理によって導入される伝送遅延を低減することができる。
【００９４】
５、スケジューリング方針、
スケジューリング方針は、上りスケジューリング方針と下りスケジューリング方針とに分けられる。パケットが周期的に送信される場合、第１のネットワーク要素は、パケットの到着間隔情報に基づいて、端末が使用する時間周波数リソースを半静的に構成することができる。
【００９５】
６、ＤＲＸ周期、
又は、第１のネットワーク要素は、パケットの到着間隔情報に応じて、端末に対して非連続受信( Ｄｉｓｃｏｎｔｉｎｕｏｕｓ Ｒｅｃｅｐｔｉｏｎ、ＤＲＸ )周期を構成してもよい。端末は、ＤＲＸ周期毎に、第２のネットワーク要素によって送信されるパケットを受信するために、１つのサブフレーム上でのみウェイクアップすることができ、他のＤＲＸ周期では、端末は、受信回路をオフにしてスリープ状態に入り、端末の電力消費を大幅に低減させる。
【００９６】
以上のように、この実施例のネットワーク構成方法は、外部ネットワークにおける第２のネットワーク要素を介して移動通信ネットワークにおける第１のネットワーク要素に端末のパケットの到着間隔情報を送信し、第１のネットワーク要素が端末のパケットの到着間隔情報に基づいて端末のネットワーク動作パラメータを動的に構成する。前記第１のネットワーク要素が、前記パケットの到着間隔情報が異なる場合に、前記端末に適切なネットワーク動作パラメータを構成し、端末と第２のネットワーク要素との間で前記パケットを伝送する際の効率及び成功率を向上させ、遅延時間を減少させることができる。
【００９７】
図４に基づく他の実施例では、端末のサービス属性は、到着間隔情報に対応する時間帯をさらに含む。この例では、第１の時間帯のパケットの到着間隔情報が到着間隔情報１、第２の時間帯のパケットの到着間隔情報が到着間隔情報２、第３の時間帯のパケットの到着間隔情報が到着間隔情報４である。すなわち、異なる時間帯に異なる到着間隔情報を対応付けることができる。
【００９８】
第１のネットワーク要素は、パケットの到着間隔情報、到着間隔情報に対応する時間帯及び現在時間に基づいて、端末のネットワーク動作パラメータを構成しても良い。例として、第１のネットワーク要素は、現在時間が属する時間帯を決定し、該時間帯に対応するパケットの到着間隔情報を検索し、該時間帯に対応するパケットの到着間隔情報に基づいて、端末のネットワーク動作パラメータを構成する。
【００９９】
この実施例のネットワーク構成方法は、異なる時間帯のパケットの到着間隔情報に応じて、異なる時間帯で適切なネットワーク動作パラメータを端末に構成することができ、異なる時間帯での端末と第２のネットワーク要素との間のパケット伝送の効率化及び成功率を向上させ、並びに遅延の低減を図ることができる。
【０１００】
図４に基づく他の実施例では、端末のサービス属性は、到着間隔情報に対応する地理エリアをさらに含む。例として、第１の地理エリアにおけるパケットの到着間隔情報は到着間隔情報１であり、第２の地理エリアにおけるパケットの到着間隔情報は到着間隔情報２であり、第３の地理エリアにおけるパケットの到着間隔情報は到着間隔情報４である。すなわち、異なる地理エリアに異なる到着間隔情報が対応する。
【０１０１】
第１のネットワーク要素は、端末が存在する現在地理位置を取得し、パケットの到着間隔情報、到着間隔情報に対応する地理エリア、及び端末が存在する現在地理位置に基づいて、端末のネットワーク動作パラメータを構成することができる。例として、第１のネットワーク要素は、端末の現在地理位置が位置する目標地理エリアを決定し、目標地理エリアに対応するパケットの到着間隔情報を検索し、該目標地理エリアに対応するパケットの到着間隔情報に基づいて端末のネットワーク動作パラメータを構成する。
【０１０２】
この実施例のネットワーク構成方法は、異なる地理エリアのパケットの到着間隔情報に基づいて、異なる地理エリアでの端末に適切なネットワーク動作パラメータを構成することができ、また、端末が異なる地理エリアにある場合、適切なネットワーク動作パラメータを構成することができるので、異なる地理エリアで端末と第２のネットワーク要素との間でパケットを伝送する際の効率及び成功率を向上させることができ、また、遅延を減少させることができる。
【０１０３】
図４に基づく他の実施例では、端末のサービス属性は、到着間隔情報に対応するＰＬＭＮをさらに含む。例として、第１のＰＬＭＮのパケットの到着間隔情報は到着間隔情報１、第２のＰＬＭＮのパケットの到着間隔情報は到着間隔情報２、第３のＰＬＭＮのパケットの到着間隔情報は到着間隔情報４である。すなわち、異なるＰＬＭＮで異なる到着間隔情報に対応できる。
【０１０４】
第１のネットワーク要素は、端末が存在する現在ＰＬＭＮを取得し、パケットの到着間隔情報と、到着間隔情報に対応するＰＬＭＮと、端末が存在する現在ＰＬＭＮと基づいて、端末のネットワーク動作パラメータを構成することができる。例として、第１のネットワーク要素は、端末の現在ＰＬＭＮを決定し、現在ＰＬＭＮに対応するパケットの到着間隔情報を検索し、現在ＰＬＭＮに対応するパケットの到着間隔情報に基づいて端末のネットワーク動作パラメータを構成する。
【０１０５】
この実施例のネットワーク構成方法は、異なるＰＬＭＮのパケットの到着間隔情報に基づいて、異なるＰＬＭＮを採用する端末に対して適切なネットワーク動作パラメータを構成することができ、また、端末が異なるＰＬＭＮに存在する場合に、端末に対して適切なネットワーク動作パラメータを構成することができるので、異なるＰＬＭＮのいずれにおいても、端末と第２のネットワーク要素との間でパケットを伝送する際の効率及び成功率を向上させ、遅延を低減することができる。
【０１０６】
ネットワークスライスは、５Ｇネットワークに導入される特性である。５Ｇネットワークは、ｅＭＢＢ、ｍＭＴＣおよびｕＭＴＣの４つのシーンの異なるアプリケーションを同時にサポートする。異なるアプリケーションのために異なる専用ネットワークを設定すると、リソースの浪費が大きいので、ＮＦＶの開発に伴い、５Ｇネットワークは異なるサービス要求のために異なる仮想ネットワークを構築することができる。ネットワークスライスは、汎用的な物理基盤設定に基づいて、ネットワークを論理的に定義分割して、エンドツーエンドの仮想ネットワークを形成するものであり、各仮想ネットワークは異なる機能特性を備えている。典型的なネットワークスライスは、エンドツーエンド専用ネットワークを形成する仮想アクセスネットワーク機能およびコアネットワーク機能のセットを含む。
【０１０７】
図４に基づく他の実施例では、端末のサービス属性は、到着間隔情報に対応するネットワークスライス情報をさらに含む。例として、第１のネットワークスライスでのパケットの到着間隔情報が到着間隔情報１、第２のネットワークスライスでのパケットの到着間隔情報が到着間隔情報２、第３のネットワークスライスでのパケットの到着間隔情報が到着間隔情報４である。すなわち、異なるネットワークスライスに異なる到着間隔情報を対応させることができる。
【０１０８】
第１のネットワーク要素は、端末の所在の現在ネットワークスライスを取得し、パケットの到着間隔情報、到着間隔情報に対応するネットワークスライス及び端末の所在の現在ネットワークスライスに基づいて、端末のネットワーク動作パラメータを構成する。例として、第１のネットワーク要素は、端末の現在ネットワークスライスを決定し、現在ネットワークスライスに対応するパケットの到着間隔情報を検索し、該現在ネットワークスライスに対応するパケットの到着間隔情報に基づいて、端末のネットワーク動作パラメータを構成する。
【０１０９】
この実施例のネットワーク構成方法は、異なるネットワークスライスを採用する端末に対して、異なるネットワークスライスのパケットの到着間隔情報に基づいて、適切なネットワーク動作パラメータを構成することができ、また、端末が異なるネットワークスライスに存在する場合に、適切なネットワーク動作パラメータを構成することができ、それにより、異なるネットワークスライスのそれぞれにおいて、端末と第２のネットワーク要素との間でパケットを伝送する際の効率および成功率を向上させることができ、また、遅延時間を減少させることができる。
【０１１０】
なお、上記各実施例は、サービス属性として、パケットの長さ情報、長さ情報に対応する時間帯及び地理エリア、パケットの到着間隔情報、到着間隔情報に対応する時間帯及び地理エリアを含むように、少なくとも２つの実施例を任意に選択して組み合わせて実施することも可能である。これは、当業者が上記実施例の記載から容易に想到するものであり、本明細書中で一々述べない。
【０１１１】
図５は、本願の一実施例によるネットワーク構成装置の構成を示すブロック図である。このネットワーク構成装置は、第１のネットワークの全部または一部として、ソフトウェア、ハードウェア、またはその組み合わせによって実現することができる。このネットワーク構成装置は、受信モジュール５２０と、処理モジュール５４０とを備えている。
【０１１２】
受信モジュール５２０は、第２のネットワーク要素により送信された端末のサービス属性を受信するように構成され、前記ネットワーク構成装置が移動通信ネットワークにおけるネットワーク要素であり、前記第２のネットワーク要素が外部ネットワークにおけるネットワーク要素である。
【０１１３】
処理モジュール５４０は、前記端末のサービス属性に基づいて、前記端末のネットワーク動作パラメータを構成するように構成される。
【０１１４】
任意選択的な実施例において、前記サービス属性は、
前記パケットの長さ情報、
又は、前記パケットの長さ情報及び前記長さ情報に対応する時間帯、
又は、前記パケットの長さ情報及び前記長さ情報に対応する地理エリア、
又は、前記パケットの長さ情報、前記長さ情報に対応する時間帯及び前記長さ情報に対応する地理エリアを含む。
【０１１５】
任意選択的な実施例において、前記長さ情報は、
前記パケットの長さ、
前記パケットの長さ範囲、
又は、前記パケットの長さの分布確率、
又は、前記パケットの長さ範囲の分布確率を含む。
【０１１６】
任意選択的な実施例において、前記サービス属性は、さらに、
前記パケットの長さ情報に対応するＰＬＭＮ情報、
及び／又は、
前記パケットの長さ情報に対応するネットワークスライス情報を含む。
【０１１７】
任意選択的な実施例において、前記処理モジュール５４０は、前記パケットの長さ情報に基づいて、前記端末のネットワーク動作パラメータを構成し、又は、前記パケットの長さ情報、前記長さ情報に対応する時間帯及び現在時間に基づいて、前記端末のネットワーク動作パラメータを構成し、又は、前記パケットの長さ情報、前記長さ情報に対応する地理エリア及び前記端末が所在する当前地理位置に基づいて、前記端末のネットワーク動作パラメータを構成し、又は、前記パケットの長さ情報、前記長さ情報に対応する時間帯、現在時間、前記長さ情報に対応する地理エリア及び前記端末が所在する当前地理位置に基づいて、前記端末のネットワーク動作パラメータを構成するように構成される。
【０１１８】
任意選択的な実施例において、前記ネットワーク動作パラメータは、
サービス品質ＱｏＳパラメータ、時間周波数リソース数、伝送モード、セキュリティ機構のうちの少なくとも１つを含む。
【０１１９】
任意選択的な実施例において、前記サービス属性は、
前記パケットの到着間隔情報、
又は、前記パケットの到着間隔情報及び前記到着間隔情報に対応する時間帯、
又は、前記パケットの到着間隔情報及び前記到着間隔情報に対応する地理エリア、
又は、前記パケットの到着間隔情報、前記到着間隔情報に対応する時間帯及び前記到着間隔情報に対応する地理エリアを含む。
【０１２０】
任意選択的な実施例において、前記パケットの到着間隔情報は、
前記パケットの到着間隔の期間、
又は、前記パケットの到着間隔の期間範囲、
又は、前記パケットの到着間隔の期間の分布確率、
又は、前記パケットの到着間隔の期間範囲の分布確率を含む。
【０１２１】
任意選択的な実施例において、前記サービス属性は、さらに、
前記パケットの到着間隔情報に対応するＰＬＭＮ情報、及び／又は、前記パケットの到着間隔情報に対応するネットワークスライス情報を含む。
【０１２２】
任意選択的な実施例において、前記処理モジュール５４０は、前記パケットの到着間隔情報に基づいて、前記端末のネットワーク動作パラメータを構成し、又は、前記パケットの到着間隔情報、前記到着間隔情報に対応する時間帯及び現在時間に基づいて、前記端末のネットワーク動作パラメータを構成し、又は、前記パケットの到着間隔情報、前記到着間隔情報に対応する地理エリア及び前記端末が所在する当前地理位置に基づいて、前記端末のネットワーク動作パラメータを構成し、又は、前記パケットの到着間隔情報、前記到着間隔情報に対応する時間帯、現在時間、前記到着間隔情報に対応する地理エリア及び前記端末が所在する当前地理位置に基づいて、前記端末のネットワーク動作パラメータを構成するように構成される。
【０１２３】
任意選択的な実施例において、前記ネットワーク動作パラメータは、
ＱｏＳパラメータ、時間周波数リソース位置、伝送モード、セキュリティ機構、スケジューリング方針、ＤＲＸ周期のうちの少なくとも１つを含む。
【０１２４】
図６は、本願の一実施例による端末の構成を示す図であり、プロセッサ６１、受信器６２、送信器６３、メモリ６４、及びバス６５を備える。
【０１２５】
プロセッサ６１は、１つ以上の処理コアを含み、ソフトウェアプログラム及びモジュールを実行することにより、様々な機能アプリケーション及び情報処理を実行する。
【０１２６】
受信器６２及び送信器６３は、情報を変調及び/又は復調し、無線信号を介して情報を受信又は送信するための受信モジュール、送信モジュール、及び変復調モジュール等を含み得る通信チップである通信コンポーネントとして実装され得る。
【０１２７】
メモリ６４は、バス６５を介してプロセッサ６１と接続されている。
【０１２８】
メモリ６４は、上述の方法の実施形態における様々なステップを実行するためのプロセッサ６１によって実行される少なくとも１つの命令を記憶するために使用され得る。
【０１２９】
さらに、メモリ６４は、スタティックオドメモリ( ＳＲＡＭ )、電気的消去可能プログラマブルリードオンリメモリ( ＥＥＰＲＯＭ )、消去可能プログラマブルリードオンリメモリ( ＥＰＲＯＭ )、プログラマブルリードオンリメモリ( ＰＲＯＭ )、リードオンリメモリ( ＲＯＭ )、磁気メモリ、フラッシュメモリ、磁気ディスク、または光ディスクなどの任意のタイプの揮発性または不揮発性記憶デバイス、またはそれらの組み合わせによって実装され得る。
【０１３０】
図７に示すように、本願の実施例は、通信システムを提供し、該通信システムは、第１のネットワーク要素７２０と第２のネットワーク要素７４０を含む。
【０１３１】
第１のネットワーク要素７２０は、第２のネットワーク要素７４０により送信された端末のサービス属性を受信し、前記第１のネットワーク要素７２０は、移動通信ネットワークにおけるネットワーク要素であり、第２のネットワーク要素７４０は、外部ネットワークにおけるネットワーク要素であり、
第１のネットワーク要素７２０は、前記端末のサービス属性に基づいて、前記端末のネットワーク動作パラメータを構成する。
【０１３２】
当業者は、上述の１つ以上の例において、本願の実施形態に記載される機能が、ハードウェア、ソフトウェア、ファームウェア、またはそれらの任意の組合せで実装され得ることを認識するであろう。ソフトウェアを使用して実装される場合、機能は、コンピュータ可読媒体に記憶されるか、またはコンピュータ可読媒体上の１つもしくは複数の命令もしくはコードとして送信され得る。コンピュータ可読媒体は、コンピュータ記憶媒体と、ある場所から別の場所へのコンピュータプログラムの伝送を容易にする任意の媒体を含む通信媒体とを含む。記憶媒体は、汎用または専用コンピュータによってアクセスされ得る任意の利用可能な媒体であり得る。 
以上の説明は、本発明の好ましい実施例に過ぎず、本発明を限定するものではなく、本発明の精神と原理内で行われるあらゆる修正、均等物、置換、改良などは、本発明の保護範囲内に含まれるべきである。
【図１】
2021510013.tif 000003
【図２】
2021510013.tif 000004
【図３】
2021510013.tif 000005
【図４】
2021510013.tif 000006
【図５】
2021510013.tif 000007
【図６】
2021510013.tif 000008
【図７】
2021510013.tif 000009
【手続補正書】
【提出日】令和2年10月19日(2020.10.19)
【手続補正１】
【補正対象書類名】明細書
【補正対象項目名】００８１
【補正方法】変更
【補正の内容】
【００８１】
１、パケットの到着間隔の期間であり、例えば、パケットの到着間隔が５秒、１０分、１時間等であり、
２、パケットの到着間隔の期間範囲であり、例えば、パケットの到着間隔の期間範囲が[２秒、４秒]であり、
３、パケットの到着間隔の期間範囲の分布確率であり、例えば、パケットの到着間隔の期間範囲の分布確率は、１５分の確率が８０％、２０分の確率が２０％であり、
４、パケットの到着間隔の期間範囲の分布確率であり、例えば、パケットの到着間隔が範囲[８秒、１０ｓ]に属する確率が９８％、範囲[１０ｓ、２０ｓ]に属する確率が２％である。
【手続補正２】
【補正対象書類名】明細書
【補正対象項目名】０１０６
【補正方法】変更
【補正の内容】
【０１０６】
ネットワークスライスは、５Ｇネットワークに導入される特性である。５Ｇネットワークは、ｅＭＢＢ、ｍＭＴＣおよびｕＭＴＣの３つのシーンの異なるアプリケーションを同時にサポートする。異なるアプリケーションのために異なる専用ネットワークを設定すると、リソースの浪費が大きいので、ＮＦＶの開発に伴い、５Ｇネットワークは異なるサービス要求のために異なる仮想ネットワークを構築することができる。ネットワークスライスは、汎用的な物理基盤設定に基づいて、ネットワークを論理的に定義分割して、エンドツーエンドの仮想ネットワークを形成するものであり、各仮想ネットワークは異なる機能特性を備えている。典型的なネットワークスライスは、エンドツーエンド専用ネットワークを形成する仮想アクセスネットワーク機能およびコアネットワーク機能のセットを含む。
【手続補正３】
【補正対象書類名】特許請求の範囲
【補正対象項目名】全文
【補正方法】変更
【補正の内容】
【特許請求の範囲】
【請求項１】
第１のネットワーク要素が第２のネットワーク要素により送信された端末のサービス属性を受信することと、
前記第１のネットワーク要素が前記端末のサービス属性に基づいて、前記端末のネットワーク動作パラメータを構成することとを含み、
前記第１のネットワーク要素が移動通信ネットワークにおけるネットワーク要素であり、前記第２のネットワーク要素が外部ネットワークにおけるネットワーク要素である
ことを特徴とするネットワーク構成方法。
【請求項２】
前記サービス属性は、
前記パケットの長さ情報、
又は、前記パケットの長さ情報及び前記長さ情報に対応する時間帯、
又は、前記パケットの長さ情報及び前記長さ情報に対応する地理エリア、
又は、前記パケットの長さ情報、前記長さ情報に対応する時間帯及び前記長さ情報に対応する地理エリアを含む
ことを特徴とする請求項１に記載のネットワーク構成方法。
【請求項３】
前記パケットの長さ情報は、
前記パケットの長さ、
前記パケットの長さ範囲、
又は、前記パケットの長さの分布確率、
又は、前記パケットの長さ範囲の分布確率を含む。
ことを特徴とする請求項２に記載のネットワーク構成方法。
【請求項４】
前記サービス属性は、さらに、
前記パケットの長さ情報に対応する公共陸上移動ネットワークＰＬＭＮ情報、
及び／又は、
前記パケットの長さ情報に対応するネットワークスライス情報を含む
ことを特徴とする請求項２又は３に記載のネットワーク構成方法。
【請求項５】
前記第１のネットワーク要素が前記端末のサービス属性に基づいて、前記端末のネットワーク動作パラメータを構成することは、
前記第１のネットワーク要素が前記パケットの長さ情報に基づいて、前記端末のネットワーク動作パラメータを構成すること、
又は、前記第１のネットワーク要素が前記パケットの長さ情報、前記長さ情報に対応する時間帯及び現在時間に基づいて、前記端末のネットワーク動作パラメータを構成すること、
又は、前記第１のネットワーク要素が前記パケットの長さ情報、前記長さ情報に対応する地理エリア及び前記端末が所在する当前地理位置に基づいて、前記端末のネットワーク動作パラメータを構成すること、
又は、前記第１のネットワーク要素が前記パケットの長さ情報、前記長さ情報に対応する時間帯、現在時間、前記長さ情報に対応する地理エリア及び前記端末が所在する当前地理位置に基づいて、前記端末のネットワーク動作パラメータを構成することを含む
ことを特徴とする請求項２〜４のいずれか１項に記載のネットワーク構成方法。
【請求項６】
前記ネットワーク動作パラメータは、
サービス品質ＱｏＳパラメータ、
時間周波数リソース数、
伝送モード、
セキュリティ機構のうちの少なくとも１つを含む
ことを特徴とする請求項５に記載のネットワーク構成方法。
【請求項７】
前記サービス属性は、
前記パケットの到着間隔情報、
又は、前記パケットの到着間隔情報及び前記到着間隔情報に対応する時間帯、
又は、前記パケットの到着間隔情報及び前記到着間隔情報に対応する地理エリア、
又は、前記パケットの到着間隔情報、前記到着間隔情報に対応する時間帯及び前記到着間隔情報に対応する地理エリアを含む
ことを特徴とする請求項１〜６のいずれか１項に記載のネットワーク構成方法。
【請求項８】
前記パケットの到着間隔情報は、
前記パケットの到着間隔の期間、
又は、前記パケットの到着間隔の期間範囲、
又は、前記パケットの到着間隔の期間の分布確率、
又は、前記パケットの到着間隔の期間範囲の分布確率を含む
ことを特徴とする請求項７に記載のネットワーク構成方法。
【請求項９】
前記サービス属性は、さらに、
前記パケットの到着間隔情報に対応するＰＬＭＮ情報、
及び／又は、
前記パケットの到着間隔情報に対応するネットワークスライス情報を含む
ことを特徴とする請求項７又は８に記載のネットワーク構成方法。
【請求項１０】
前記第１のネットワーク要素が前記端末のサービス属性に基づいて、前記端末のネットワーク動作パラメータを構成することは、
前記第１のネットワーク要素が前記パケットの到着間隔情報に基づいて、前記端末のネットワーク動作パラメータを構成すること、
又は、前記第１のネットワーク要素が前記パケットの到着間隔情報、前記到着間隔情報に対応する時間帯及び現在時間に基づいて、前記端末のネットワーク動作パラメータを構成すること、
又は、前記第１のネットワーク要素が前記パケットの到着間隔情報、前記到着間隔情報に対応する地理エリア及び前記端末が所在する当前地理位置に基づいて、前記端末のネットワーク動作パラメータを構成すること、
又は、前記第１のネットワーク要素が前記パケットの到着間隔情報、前記到着間隔情報に対応する時間帯、現在時間、前記到着間隔情報に対応する地理エリア及び前記端末が所在する当前地理位置に基づいて、前記端末のネットワーク動作パラメータを構成することを含む
ことを特徴とする請求項７〜９のいずれか１項に記載のネットワーク構成方法。
【請求項１１】
前記ネットワーク動作パラメータは、
サービス品質ＱｏＳパラメータ、
時間周波数リソース位置、
伝送モード、
セキュリティ機構、
スケジューリング方針、
不連続受信ＤＲＸ周期のうちの少なくとも１つを含む
ことを特徴とする請求項１０に記載のネットワーク構成方法。
【請求項１２】
請求項１〜１１のいずれか１項に記載の方法を実行するように構成される
ことを特徴とするネットワーク構成装置。
【請求項１３】
請求項１から１１のいずれか１項に記載の第１のネットワーク要素によって実行されるステップをプロセッサによって実行するための少なくとも１つの命令を記憶している
ことを特徴とするコンピュータ可読記憶媒体。
【請求項１４】
第１のネットワーク要素と、第２のネットワーク要素と、を備える通信システムであって、
前記第１のネットワーク要素が前記第２のネットワーク要素により送信された端末のサービス属性を受信し、前記第１のネットワーク要素が移動通信ネットワークにおけるネットワーク要素であり、第２のネットワーク要素が外部ネットワークにおけるネットワーク要素であり、
前記第１のネットワーク要素が前記端末のサービス属性に基づいて、前記端末のネットワーク動作パラメータを構成する
ことを特徴とする通信システム。
【国際調査報告】
2021510013.tif 000010
2021510013.tif 000011
2021510013.tif 000012
2021510013.tif 000013
2021510013.tif 000014